(57)【要約】      （修正有）【課題】機械の全長を変えることなしに新たなユニットを増設する。【解決手段】給紙部１と印刷ユニット３ａ〜３ｆと加工部４を給紙部から供給される輪転紙２の走行方向に配置してなる輪転印刷機において、加工部上に、上記輪転紙の走行方向と交差する方向にレール６を設け、このレール上に増設ユニット７を、輪転紙の走行位置と、この走行位置からはずれる待避位置にわたって移動可能に搭載した構成となっている。【選択図】        図１
2004148654.tif 000002
【特許請求の範囲】
【請求項１】
給紙部と印刷ユニットと加工部を給紙部から供給される輪転紙の走行方向に配置してなる輪転印刷機において、
加工部上に、上記輪転紙の走行方向と交差する方向にレールを設け、このレール上に増設ユニットを、輪転紙の走行位置と、この走行位置からはずれる待避位置にわたって移動可能に搭載したことを特徴とする輪転印刷機。
【請求項２】
増設ユニットに、この増設ユニットを駆動するセクショナルモータを設けたことを特徴とする請求項１記載の輪転印刷機。
【発明の詳細な説明】
【０００１】
【発明の属する技術分野】
本発明は、輪転印刷機に関するものである。
【０００２】
【従来の技術】
輪転印刷機は、印刷ユニットを輪転紙の走行方向に、１台（単色印刷）あるいは複数台（多色印刷）の印刷ユニットを配設してなるものであるが、このような輪転印刷機の場合、上記印刷ユニットの台数及び、これらの下流側に配置されるミシン目加工機や折り機等の加工機によって所定の長さになっている。
【０００３】
複数の印刷ユニットを使用した従来の輪転印刷機としては特許文献１に示されたものがある。この従来の技術のものにあっては、４台ずつの印刷ユニットを２段に重ねて配置することにより、多数の印刷ユニットを有する機械全体の長さが短くなるようにしている。
【０００４】
【特許文献１】
特開平７−２２７９５２号公報（第２〜３頁、図１）
【０００５】
【発明が解決しようとする課題】
これらの輪転印刷機において、既設機のユニット間に別の印刷ユニットあるいはナンバー印刷機などのユニットを増設する場合、機械全長が伸びるため、建屋のスペースに制限がある場合にはこれを断念せざるを得ない。
【０００６】
また、ユニットを増設する場合でも、ユニット間の新たなユニットのための増設スペースを確保するため、機械を移動する工事を行わなければならないが、これに伴う諸工事、例えば、機械切離し、移動、オイルパンの追加、設置直し、制御盤の移動等の工事を行われなければならずこのための手間と時間を要していた。
【０００７】
また、ユニットを増設する場合、これを駆動するために、主モータの容量アップも検討するが、既設の主モータでは容量が不足する場合、主モータの交換が必要で、コストがかかり、主モータが大型化するとこれの設置スペースが不足し、増設できないという問題もあった。
【０００８】
本発明は上記のことに鑑みなされたもので、機械の全長を変えることなく、しかも特別な工事とすることなしに新たなユニットを簡単に増設することができるようにした輪転印刷機を提供することを目的とするものである。
【０００９】
【課題を解決するための手段】
上記目的を達成するために、本発明に係る輪転印刷機は、給紙部と印刷ユニットと加工部を給紙部から供給される輪転紙の走行方向に配置してなる輪転印刷機において、加工部上に、上記輪転紙の走行方向と交差する方向にレールを設け、このレール上に増設ユニットを、輪転紙の走行位置と、この走行位置からはずれる待避位置にわたって移動可能に搭載した構成になっている。そしてこのような輪転印刷機において、増設ユニットに、この増設ユニットを駆動するセクショナルモータを設けた。
【００１０】
【作  用】
増設ユニットを輪転紙の走行位置に固定して印刷ユニットからの輪転紙をこの増設ユニットを通して加工部へ通すことにより、印刷ユニットにて印刷された輪転紙に増設ユニットにより、この増設ユニットが印刷ユニットである場合には、さらに１色増刷でき、また、ナンバー印刷機であれば、上記輪転紙上にナンバリングされてから加工部に走行される。そして増設ユニットはセクショナルモータにて単独に駆動される。
【００１１】
通常の印刷を行う場合には、増設ユニットを加工部のフレームとの固定を解除して待避位置へ移動させる。
【００１２】
【発明の実施の形態】
本発明の実施の形態を図面に基づいて説明する。
図１は、例えば６色用の輪転印刷機を示すもので、給紙部１を最上流側として輪転紙２の走行方向に６台のオフセット印刷ユニット３ａ，３ｂ，３ｃ，３ｄ，３ｆが所定間隔で配置されている。そしてその最下流側の印刷ユニット３ｆの下流側にマージナルパンチ加工機４ａ、縦ミシン目加工機４ｂ、横ミシン目加工機４ｃ、折機４ｄ、排出コンベヤ４ｅからなる加工部４が配置されている。
【００１３】
加工部４の最上流側のフレーム５の上面に、図２に示すように、輪転紙走行方向（左右方向）に離間する一対のレール６，６が輪転紙２の走行方向と直角方向（前後方向）に、例えば輪転紙２の走行位置から原動機側（後側）にわたって設けてあり、この一対のレール６，６上に、例えば上記各オフセット印刷ユニット３ａ〜３ｆと同一のオフセット印刷ユニットである増設ユニット７が移動自在に載置されている。
【００１４】
上記レール６，６は、上記増設ユニット７が輪転印刷機の輪転紙２の通過位置、すなわち、セット位置から輪転印刷機の後側へ、上記増設ユニット７が邪魔にならない待避位置にわたって移動できる長さになっている。
【００１５】
増設ユニット７の左右の両側には、図３に示すように、前後方向に離間して２個ずつのローラ８が設けてあり、このそれぞれのローラ８，８が上記左右の各レール６，６上に転動可能に載置されるようになっている。９ａ，９ｂはレール６ａの両端部に設けたストッパである。
【００１６】
前後に位置する左右のローラ８，８は増設ユニット７の前後のフレーム７ａ，７ｂの内側に固着されたブラケット１０に回転可能に支持された支軸１１の両端部に軸受１２を介して支持されている。そしてローラ８を軸受１２を介して支持しているジャーナル部分の軸心０１は、上記ブラケット１０に支持されている部分のジャーナルの軸心０２に対して偏心されていて、前後の各支軸１１，１１を一方へ回動することにより、ローラ８がレール６に当接して増設ユニット７が加工部４のフレーム５から離間し、他方へ回動することにより、増設ユニット７がフレーム５上に当接し、ローラ８がレール６より離間するようになっている。各支軸１１，１１の一端にはこれを回動するためのハンドル１３が固着されている。上記支軸１１，１１は上記両方向の回動位置にて図示しないトグル機構等の自己保持機構にて自己保持されるようになっている。１４は支軸１１，１１の軸方向の位置を決めるためのカラーである。レール６の側面にはローラ８の側面を案内するガイド６ａが固着されている。
【００１７】
増設ユニット７の前後のフレーム７ａ，７ｂには窓穴１５が設けてあり、この窓穴１５の下側の縁にボルト１６を下方へ向けて挿通できるようになっていて、このボルト１６にて増設ユニット７をフレーム５のセット位置に固定できるようになっている。
【００１８】
増設ユニット７の駆動は、これをセット位置に移動した状態で加工部４の原動ギヤと連結して加工部４から駆動されるようにするか、セクショナルモータ１９を増設ユニットの原動機側のフレームに固定して独立したセクショナルモータ１９で駆動されるようにする。
【００１９】
最下流側の印刷ユニット３ｆの下流側には、この印刷ユニット３ｆよりの輪転紙２を加工部４と、増設ユニット７へ選択的に紙通し可能にした紙通し経路１７が設けてある。また加工部４の上流側には増設ユニット７から加工部４へ紙通しする紙通し経路１８が設けてある。
【００２０】
上記構成において、増設ユニット７は上記したように、ボルト１６による固定を解除した状態でハンドル１３を一方へ回動することにより、加工部４のフレーム５から離間してローラ８を介してレール６上に支持された状態と、フレーム５上に載置された状態に切り替えられる。そしてフレーム５から離間した状態で作業員が押すことにより、レール６に沿ってセット位置と待避位置にわたって移動される。また、セット位置でハンドル１３を他方へ回動して増設ユニット７をフレーム５上に当接し、ボルト１６にて固定することによりセット位置で固定される。
【００２１】
しかして、通常の６色印刷時には増設ユニット７を待避位置へ移動しておき、最下流側の印刷ユニット３ｆを出た輪転紙２を加工部４へ紙通しする。
【００２２】
また、通常の６色印刷に１色加えて７色印刷する場合には増設ユニット７をセット位置に移動して固定し、最下流側の印刷ユニット３ｆを出た輪転紙２を増設ユニット７を経て加工部４へ紙通しする。
【００２３】
上記した実施の形態では増設ユニット７にオフセット印刷ユニットを用いたが、この増設ユニットとしてはこれに限るものではなく、例えばナンバー印刷機等、通常の印刷ユニットによる印刷に追加することにより、印刷物として付加価値を高めることができるユニットが増設ユニットとして用いられる。
【００２４】
【発明の効果】
本発明によれば、既設の輪転印刷機の全長を変えることなく増設ユニットを印刷ラインに設置することができる。そしてこの増設ユニットの設置を、この増設ユニットをレールに沿って移動して固定するだけの操作により簡単に行うことができる。また、増設ユニットをセクショナルモータにて駆動することにより、主モータの容量を変える必要がなくなり、主モータの大型化が防止できると共に、容量的にはいくつもの増設ユニットの増設が可能となる。
【図面の簡単な説明】
【図１】本発明に係る輪転印刷機の全体を示す正面図である。
【図２】レール部を示す側面図である。
【図３】要部を示す正面図である。
【図４】要部を示す破断面図である。
【図５】図４のＸ−Ｘ断面矢視図である。
【符号の説明】
１…給紙部、２…輪転紙、３ａ〜３ｆ…印刷ユニット、４…加工部、５…フレーム、６…レール、７…増設ユニット、７ａ，７ｂ…前後のフレーム、８…ローラ、９ａ，９ｂ…ストッパ、１０…ブラケット、１１…支軸、１２…軸受、１３…ハンドル、１４…カラー、１５…窓穴、１６…ボルト、１９…セクショナルモータ。
【図１】
2004148654.tif 000003
【図２】
2004148654.tif 000004
【図３】
2004148654.tif 000005
【図４】
2004148654.tif 000006
【図５】
2004148654.tif 000007